(57)【特許請求の範囲】
【請求項１】
青色ＬＥＤ及び前記青色ＬＥＤに照射されることで黄色を発光する蛍光体によって白色光を照射する光源と、
前記光源の光が通過するカバーと、
を備え、
前記カバーは、
前記光源から照射された白色光のうち予め３５０（ｎｍ）〜５５０（ｎｍ）に定められた波長帯の光を、前記波長帯よりも長波長へ変換する波長変換部と、
前記波長変換部よりも前記光源から遠い位置に設けられ、前記波長帯の光を吸収する光吸収部とを含む
光源装置。
【請求項２】
前記波長帯には、
第１の波長範囲及び前記第１の波長範囲よりも長波長の第２の波長範囲が含まれており、
前記波長変換部は、
前記第１の波長範囲よりも前記第２の波長範囲の方が、前記光源の光の変換特性が高くなるように構成され、
前記光吸収部は、
前記第２の波長範囲よりも前記第１の波長範囲の方が、前記光源の光の吸収特性が高くなるように構成されている
請求項１に記載の光源装置。
【請求項３】
前記光吸収部は、
前記第２の波長範囲の波長のうちの最大側の波長以上において、前記光源の光の透過特性が最大となるように構成されている
請求項２に記載の光源装置。
【請求項４】
前記光源が実装された基板をさらに備え、
前記基板には、
前記光源の実装面に光反射材が形成されている
請求項１〜３のいずれか一項に記載の光源装置。
【請求項５】
請求項１〜４に記載の光源装置と、
前記光源装置が設けられた筐体と、
前記筐体に取り付けられ、前記光源装置の光源の周囲に配置され、前記光源の光を反射する反射面が形成されている筒状の反射部と、
前記反射部のうち前記筐体に取り付けられている側とは反対側の開口端部に設けられ、前記光源装置のカバーを支持する外枠部と、
を備えた
照明器具。
【発明の詳細な説明】
【技術分野】
【０００１】
本発明は、光源装置及び照明器具に関する。
【背景技術】
【０００２】
ビールの日光臭は光劣化臭ともいわれ、瓶ビールを日光にさらした時に発生する異臭である。日光臭の原因物質は、ビールの苦味成分であるイソアルファ酸分子の側鎖部分が５２０（ｎｍ）以下の波長によって分解し、ビール中の含硫アミノ酸からできた発生期の硫化水素が結合して生成するチオール化合物である３−メチル−２−ブテン−１−チオールといわれている。このため、従来より、ビールの瓶には日光臭の要因となる５２０（ｎｍ）以下の波長（以下、特定波長帯とも称する）の光を吸収しやすい茶色の瓶が使用されている。
【０００３】
しかし、ビールの瓶を茶色にしても、特定波長帯の光を瓶で吸収しきれず、日光臭が発生してしまうことがある。このため、ビール保管倉庫の照明には、特定波長帯をあまり含まないナトリウムランプが一般的に使われていた。
【０００４】
その一方で、近年では、長寿命及び低消費電力等の観点から、照明用光源としては、ＬＥＤ及び有機ＥＬ等の発光ダイオードを搭載したものが普及してきている。この発光ダイオードの多くは、特定波長帯に分光分布のピーク波長をもつ。したがって、ビール保管倉庫においては、この発光ダイオードを用いた照明の普及が進んでいない。
【０００５】
ところで、光源から照射された光の波長の一部を変換する波長変換シートを設けた光源装置が提案されている（たとえば、特許文献１参照）。その他に、光源を収容するカバーに光源から照射された光の波長の一部を吸収するシートを設け、光源から照射される光のうち、特定波長帯の光をカットするものも知られている。
【先行技術文献】
【特許文献】
【０００６】
【特許文献１】特開２０１５−３２３７３号公報
【発明の概要】
【発明が解決しようとする課題】
【０００７】
光の波長の一部を吸収するシートを用いる手段は、光源から照射される光のエネルギーを吸収する分、エネルギー効率が低下してしまう。なお、エネルギー効率は、光源装置に投入する電力エネルギーに対する（以下、投入エネルギーとも称する）、光源装置から放射される光のエネルギー（以下、放射エネルギーとも称する）の割合である。
【０００８】
波長変換シートを用いる手段では、光源から照射される光の波長の一部を変換することができる。しかし、波長変換シートが変換できる波長帯によっては、被照射体（例えば、上述のビールに対応）に影響を与える特定波長帯の光が残ってしまうことがある。
【０００９】
本発明は、以上のような課題を解決するためになされたもので、エネルギー効率が低下してしまうことを抑制しながら、特定波長帯の光をカットすることができる光源装置及び照明器具を提供することを目的としている。
【課題を解決するための手段】
【００１０】
本発明に係る光源装置は、青色ＬＥＤ及び青色ＬＥＤに照射されることで黄色を発光する蛍光体によって白色光を照射する光源と、光源の光が通過するカバーと、を備え、カバーは、光源から照射された白色光のうち予め３５０（ｎｍ）〜５５０（ｎｍ）に定められた波長帯の光を、予め定められた波長帯よりも長波長へ変換する波長変換部と、波長変換部よりも光源から遠い位置に設けられ、予め定められた波長帯の光を吸収する光吸収部とを含むものである。
【発明の効果】
【００１１】
本発明に係る光源装置によれば、上記構成を有しており、まず、波長変換部によって、光源から照射された光の波長の一部を、予め定められた波長帯よりも長波長に変換する。これにより、予め定められた波長帯の放射エネルギーは減少するものの、この予め定められた波長帯よりも長波長に変換された光の放射エネルギーは増加する。このため、光源装置の放射エネルギーが減少することを抑制することができ、光源装置のエネルギー効率が減少してしまうことを抑制することができる。
また、本発明に係る光源装置によれば、波長変換部にて予め定められた波長帯の光を変換しきれない場合には、この光は波長変換部を通過してしまう。しかし、この変換しきれなかった光は、光吸収部にて吸収される。このため、光源装置では、日光臭の要因となる５２０（ｎｍ）以下の波長（特定波長帯）をより確実にカットすることができる。
【図面の簡単な説明】
【００１２】
【図１】本発明の実施の形態に係る光源装置１００を備えた照明器具１の斜視図である。
【図２】図１に示す点線Ａ−Ａにおける断面図である。
【図３】本発明の実施の形態に係る光源装置１００が含む光源１１の分光分布の図である。
【図４】本発明の実施の形態に係る光源装置１００の波長変換部の特性についての説明図である。
【図５】本発明の実施の形態に係る光源装置１００の光吸収部の特性についての説明図である。
【図６】本発明の実施の形態に係る光源装置１００が含む光源１１から出射される光のうちの特定波長帯の光がカットされることを説明する図である。
【図７】本発明の実施の形態に係る光源装置１００から照射される光の分光分布を示した図である。
【図８】本発明の実施の形態に係る光源装置１００の変形例である。
【発明を実施するための形態】
【００１３】
以下、本発明に係る光源装置の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１４】
実施の形態．
図１は、本実施の形態に係る光源装置１００を備えた照明器具１の斜視図である。図２は、図１に示す点線Ａ−Ａにおける断面図である。図１及び図２に基づいて、光源装置１００及び照明器具１について説明する。
本実施の形態に係る光源装置１００は、光のエネルギー効率が低下してしまうことを抑制しながら、特定波長帯の光をカットすることができる改良が加えられたものである。
【００１５】
［構成説明］
照明器具１は、複数の光源１１及び複数の光源１１が実装された基板１２を有する光源モジュール１０（または光源）と、光源モジュール１０から出射される光の波長特性を変換して出射するカバー２０と、光源モジュール１０が取り付けられる筐体３０と、基板１２の側方に配置される反射部４０と、カバー２０を反射部４０との間に挟み込むように支持し筐体３０に固定される外枠部５０とを有している。
【００１６】
なお、光源装置１００は、複数の光源１１、基板１２及びカバー２０に対応する構成を備えたものである。
【００１７】
（光源モジュール１０）
光源モジュール１０は、光源１１及び基板１２を含む。また、光源１１には、例えば、一般的に使用される白色ＬＥＤ、有機ＥＬ等の発光ダイオードを採用することができる。基板１２は、複数の光源１１が実装されている。なお、光源モジュール１０は、図示しない点灯装置から電力が供給され点灯する。
光源１１は、例えば、複数が基板１２に実装される。基板１２は、たとえば、ガラスエポキシ樹脂等で構成することができる。また、基板１２には、光源１１から照射された光を反射する光反射材が形成されているとよい。この光反射材は、例えば、光を高効率に反射することができる白色等の樹脂で構成することができる。そして、この光反射材は、基板１２のうち、光源１１と電気的に接続される部分以外の部分に形成するとよい。これにより、光源１１から照射された光のうち、カバー２０に直接進まない光も、カバー２０に向けることができる。
【００１８】
（カバー２０）
カバー２０は、例えば円板形状であり、光源１１から照射された光等が通過する。カバー２０は、例えば、光源１１の対向位置に配置される。カバー２０の厚みは、例えば、２〜３ｍｍ程度に設定する。カバー２０は、予め定められた波長帯の光を別の波長域の光に変換する波長変換部２１と、予め定められた波長帯の光を吸収する光吸収部２２とを備えている。つまり、光吸収部２２は、カバー２０を予め定められた波長帯の光が通過してしまうことを防いでいる。
【００１９】
波長変換部２１は、光吸収部２２よりも内側に配置されている。つまり、波長変換部２１は、光吸収部２２よりも光源１１側（光源モジュール１０側）に配置されており、光吸収部２２よりも光源１１に近い側に設けられている。また、波長変換部２１及び光吸収部２２のいずれについても、平面視形状は例えば円板形状で同様である。なお、波長変換部２１及び光吸収部２２の厚みについては、異なっていてもよく、適宜設定することができる。
【００２０】
光吸収部２２は、波長変換部２１よりも外側に配置されている。つまり、光源１１を出た光は、まず、波長変換部２１に入り、その後に光吸収部２２に入る。すなわち、光吸収部２２は、波長変換部２１よりも光源１１に遠い側に設けられている。
【００２１】
波長変換部２１と光吸収部２２とは面同士が接触して設けられている。なお、波長変換部２１と光吸収部２２とが面同士で接触して設けられた態様に限定されるものではない。波長変換部２１及び光吸収部２２は、例えば、波長変換部２１と光吸収部２２との間に、隙間が形成されるように離して配置してもよい。また、波長変換部２１と光吸収部２２との間に、別の部材（樹脂等）を設けてもよい。
【００２２】
波長変換部２１は、予め定められた波長帯の光を、この予め定められた波長帯よりも長波長の光に変換する機能を有している。ここで、予め定められた波長帯とは、例えば３５０（ｎｍ）〜５５０（ｎｍ）の範囲を指している。また、予め定められた波長帯よりも長波長とは、例えば、５５０（ｎｍ）より長い波長を指している。波長変換部２１は、予め定められた波長帯よりも長波長の光に変換する機能を備えるため、光源１１の光（励起光）によって励起する蛍光体を含んでいる。具体的には、次の通りである。
波長変換部２１は、例えば、蛍光体を含むアクリル板で構成することができる。ここで、波長変換部２１には、単一種類の蛍光体を用いてもよいし、複数種類の蛍光体を用いてもよい。
単一種類の蛍光体を用いる場合においては、蛍光体は、光源１１の特定波長帯の光によって励起し、異なる分光分布の光（蛍光）を放射する橙〜赤色の蛍光体を用いる。橙〜赤色の蛍光体の成分は、例えば、ユーロピウム付活アルカリ土類窒化物蛍光体を用いることができる。なお、ユーロピウム付活アルカリ土類硫化物蛍光体を用いてもよいが、ユーロピウム付活アルカリ土類窒化物蛍光体の方が、耐水性及び温度消光等の特性面でメリットがある。
複数種類の蛍光体を用いる場合においては、橙〜赤色の蛍光体に加えて、光源１１の特定波長帯の光によって励起し、異なる分光分布の光を発光する緑色〜黄色の蛍光体を用いるとよい。
その他に、波長変換部２１は、例えば、ゴムシートに蛍光体を配合したものに対し、樹脂をラミネートして構成することもできる。
【００２３】
なお、例えばビール保管倉庫の照明の場合には、先述したように、ビールの苦味成分を分解することがないように、５２０（ｎｍ）より長い波長の光で照明をすることが好ましい。光源装置１００をビール保管倉庫の照明に用いるのであれば、光源装置１００のカバー２０で、３５０（ｎｍ）〜５５０（ｎｍ）の波長帯の光をカットし、５５０（ｎｍ）よりも長波長を照射するように構成する。
【００２４】
ここで、予め定められた３５０（ｎｍ）〜５５０（ｎｍ）の予め定められた波長帯のうち、３５０（ｎｍ）〜４５０（ｎｍ）の範囲を第１の波長範囲と規定する。また、４５０（ｎｍ）〜５５０（ｎｍ）の範囲を第２の波長範囲と規定する。
【００２５】
波長変換部２１は、波長が第１の波長範囲に属する光のうちの一部（以下、一部の光ｋ１とも称する）を、予め定められた波長帯よりも長波長に変換する機能を有する。すなわち、波長変換部２１は、第１の波長範囲における光に基づく総エネルギーのうちの一部を、予め定められた波長帯よりも長波長の光に基づくエネルギーに変換している。なお、第１の波長範囲における光に基づく総エネルギーのうちの全部が変換されるわけではない。第１の波長範囲における光に基づく総エネルギーのうちの残りである他部が、波長変換部２１で波長が変換されなかった光（以下、他部の光ｋ２とも称する）である。
このように、波長変換部２１から照射される光は、概ね、より長波長に変換された一部の光ｋ１と、波長が変わらない他部の光ｋ２と、から構成されることになる。
【００２６】
波長変換部２１は、第１の波長範囲だけでなく、第２の波長範囲についても長波長に変換する機能を有している。すなわち、波長変換部２１は、波長が第２の波長範囲に属する光のうちの略全部（以下、略全部の光ｋ３とも称する）を、予め定められた波長帯よりも長波長に変換する機能を有する。波長変換部２１は、第２の波長範囲における光に基づく総エネルギーのうちの略全部を、予め定められた波長帯よりも長波長の光に基づくエネルギーに変換している。第２の波長範囲については、光に基づく総エネルギーのうちの略全部が変換される。第２の波長範囲における光に基づく総エネルギーのうちの僅かな残りである他部が、波長変換部２１で波長が変換されなかった光（以下、他部の光ｋ４とも称する）である。他部の光ｋ４のエネルギーは、略全部の光ｋ３と比較すると非常に小さい。
このように、波長変換部２１から照射される光は、概ね、より長波長に変換された一部の光ｋ３と、波長が変わらない他部の光ｋ４と、から構成されることになる。
【００２７】
光吸収部２２は、波長が変換されなかった他部の光ｋ２を吸収する機能を有する。つまり、光吸収部２２は、波長変換部２１で波長が変換されなかった第１の波長範囲の光を吸収する。これにより、第１の波長範囲の光が、光源装置１００が設置される空間の光照射対象等に照射されることを防いでいる。他部の光ｋ２の総エネルギーは大きいため、光吸収部２２の第１の波長範囲の光の吸収特性は、その分強くなっている。つまり、光吸収部２２は、光の吸収特性の特に強まる範囲（ピーク）が、第１の波長範囲に設定された素材で構成されている。
【００２８】
光吸収部２２は、波長が変換されなかった他部の光ｋ４を吸収する機能も有する。つまり、光吸収部２２は、波長変換部２１で波長が変換されなかった第２の波長範囲の光を吸収する。他部の光ｋ４の総エネルギーは小さいため、光吸収部２２の第２の波長範囲の光の吸収特性は、第１の波長範囲の光の吸収特性と比較して、弱い。
ここで、光吸収部２２は、光の吸収特性の特に強まる範囲が、第１の波長範囲に設定されているため、その周囲の波長範囲である第２の波長範囲においては、ゆるやかに光の吸収特性が弱まっている。しかし、他部の光ｋ４のエネルギーが小さいので、光の吸収特性が弱まっていても賄うことができる。
【００２９】
（筐体３０）
筐体３０は、光源モジュール１０が取り付けられる略円板状の取付部３１と、取付部３１の光源モジュール１０が取り付けられる面の反対面から突設して設けられ光源モジュール１０から発生する熱を放熱するフィン３２とを有している。
【００３０】
（反射部４０）
反射部４０は、光源モジュール１０の側方を囲むような略筒形状であり、内側の面が光源モジュール１０からカバー２０に向けて広がるように傾斜している。
【００３１】
（外枠部５０）
外枠部５０は、反射部４０の側方を囲むような略筒形状をしているものである。外枠部５０は、一方の端部側が、径の中心側に突出して形成された内側鍔部５１を含む。また、外枠部５０は、他方の端部側が、径が大きくなる側に突出して形成された外側鍔部５２を含む。内側鍔部５１は、反射部４０の端部とともに、カバー２０を挟み支持する。また、外側鍔部５２は、例えばねじ等により、筐体３０の取付部３１に固定される。
【００３２】
［波長変換部等の特性等について］
図３は、本実施の形態に係る光源装置１００が含む光源１１の分光分布の図である。図４は、本実施の形態に係る光源装置１００の波長変換部２１の特性についての説明図である。図５は、本実施の形態に係る光源装置１００の光吸収部２２の特性についての説明図である。図３〜図５を参照して、光源１１の特性、波長変換部２１の特性及び光吸収部２２の特性等について説明する。
【００３３】
図３〜図５は、横軸が光の波長（ｎｍ）を示している。また、図３の縦軸は、光の強度を示しており、上にいくほど光の強度が強くなることを示している。図４及び図５の縦軸も光の強度に対応している。
なお、図４の縦軸の１００％は、波長変換部２１に入射する前の光の各波長の強度を示している。図４の実線で示す曲線は、波長変換部２１から出射される光の各波長の強度を示している。したがって、図４の曲線のうち、１００％よりも低い部分は、波長変換部２１を通過する過程で光が弱められたことを示し、１００％よりも高い部分は、波長変換部２１を通過する過程で光りが強められたことを示している。
【００３４】
図５も同様である。すなわち、図５の縦軸の１００％は、光吸収部２２に入射する前の光の各波長の強度を示している。図５の実線で示す曲線は、光吸収部２２から出射される光の各波長の強度を示している。したがって、図５の曲線のうち、１００％よりも低い部分は、光吸収部２２を通過する過程で光が弱められたことを示し、１００％よりも高い部分は、光吸収部２２を通過する過程で光りが強められたことを示している。
【００３５】
本実施の形態において、光源１１は、一例として白色光を放射するものとして説明する。光源１１は、例えば、青色発光するＬＥＤ、及び、この青色発光するＬＥＤの光によって黄色を発光する蛍光体等で構成することができる。光源１１は、図３に示すように、主に、３８０（ｎｍ）〜７８０（ｎｍ）の波長域の光を有する。
【００３６】
波長変換部２１は、図４に示すように、第２の波長範囲において、第１の波長範囲よりも光の変換効率が強い特性となるように構成されている。すなわち、波長変換部２１は、第２の波長範囲における変換効率が高くなっているということである。これは、光源１１の分光分布のピークが４５０（ｎｍ）あたりであるため、波長変換部２１の光の変換効率を高くする波長範囲をその４５０（ｎｍ）あたりに合わせたということである。これにより、光源１１から出射される光の変換効率をより高め、エネルギー効率が低下してしまうことを抑制することができるようになっている。
一方、波長変換部２１は、第１の波長範囲においても波長の変換がなされるが、その特性は、第２の波長範囲との比較においては強くはない。図４に示すように、波長変換部２１の作用によって、第１の波長範囲及び第２の波長範囲の光は、縦軸の１００％より低くなっており弱められていることがわかり、また、これらの範囲より長波長の範囲の光については縦軸の１００％よりも大きくなっており強められていることが分かる。
【００３７】
［本実施の形態に係る光源装置１００の有する効果］
図６は、本実施の形態に係る光源装置１００が含む光源１１から出射される光のうちの特定波長帯の光がカットされることを説明する図である。図６等を参照して、本実施の形態に係る光源装置１００の有する効果について説明する。
【００３８】
（効果１）
本実施の形態に係る光源装置１００は、光を照射する光源１１と、光源１１の光が通過するカバー２０と、を備え、カバー２０は、光源１１から照射された光のうち予め定められた波長帯ｗの光を、波長帯ｗよりも長波長へ変換する波長変換部２１と、波長変換部２１よりも光源１１から遠い位置に設けられ、波長帯ｗの光を吸収する光吸収部２２とを含むものである。ここで、予め定められた波長帯ｗとは、図６に示すように、第１の波長範囲及び第２の波長範囲より構成されている。以下において、予め定められた波長帯ｗは、単に波長帯ｗと略記することがある。
光源１１から照射された波長帯ｗを含む光は、カバー２０の波長変換部２１において波長帯ｗよりも長波長に変換される。つまり、波長帯ｗの光を吸収してしまうのではなく、波長帯ｗよりも長波長に変換するということである。このように、光源装置１００では、カバー２０から光を照射するにあたって、波長帯ｗの光のエネルギーを利用するものであり、最終的にカバー２０から照射される光の強さが低減してしまうことを抑制することができる。これは、図６に示すように、波長帯ｗよりも長波長範囲（特に、５５０（ｎｍ）〜６５０（ｎｍ）の範囲）においては、破線で示す曲線よりも実線で示す曲線の方が上側に来ていることから把握することができる。
また、波長変換部２１で波長が変換されなかった波長帯ｗの波長に属する光は、光吸収部２２にて吸収される。これにより、波長帯ｗの光が、光源装置１００が設置される空間の光照射対象等に照射されることを防いでいる。これは、図６に示すように、波長帯ｗにおいては、破線で示す曲線よりも実線で示す曲線の方が下側にきており、縦軸の数値も０に近いことから把握することができる。
ここで、ビールの瓶には日光臭の要因となる特定波長帯は、５２０（ｎｍ）以下である。また、光源１１の波長は、３８０（ｎｍ）〜７８０（ｎｍ）程度の範囲である。波長帯ｗは、特定波長帯及び光源１１の波長の範囲の両方を満たす３８０（ｎｍ）〜５２０（ｎｍ）の範囲を包含している。本実施の形態に係る光源装置１００は、波長帯ｗの放射エネルギーをカットしてしまうだけではなく、波長帯ｗよりも長波長の放射エネルギーに変換して利用するようにしている。このため、光源装置１００の光のエネルギー効率が低下してしまうことを抑制することができる。
また、本実施の形態に係る光源装置１００は、波長変換部２１にて波長が変換されなかった、波長帯ｗの光については、光吸収部２２でカットすることができる。
【００３９】
なお、本実施の形態に係る光源装置１００は、各発光ダイオードに蛍光体を塗布するのではなく、カバー２０に波長変換部２１及び光吸収部２２を形成することで、上述のように、カバー２０から照射される光の強さが低減してしまうことを抑制するとともに、波長帯ｗの光が光源装置１００が設置される空間の光照射対象等に照射されることを防ぐ効果を得ることができる。光源１１の各発光ダイオードに蛍光体を塗布することで同様の効果を得ようとしても、発光ダイオードは複数ある分、その塗布による作業分の製造コストが発生する。一方、本実施の形態に係る光源装置１００では、例えばカバー２０の全域に、波長変換部２１及び光吸収部２２を形成する作業で済むので、各発光ダイオードに蛍光体を塗布することよりも作業負担を低減し、製造コストを低減させることができる場合がある。
【００４０】
（効果２）
本実施の形態に係る光源装置１００は、波長帯ｗは、第１の波長範囲及び第１の波長範囲よりも長波長の第２の波長範囲が含まれており、波長変換部２１は、第１の波長範囲よりも第２の波長範囲の方が、光源１１の光の変換特性が高くなるように構成され、光吸収部２２は、第２の波長範囲よりも第１の波長範囲の方が、光源１１の光の吸収特性が高くなるように構成されているものである。
図７は、本実施の形態に係る光源装置１００から照射される光の分光分布を示した図である。
図７（ａ）は、光源１１の光の分光分布を示している。
図７（ｂ）は、光源１１の光が波長変換部２１に入射して、放射エネルギーの一部が長波長の放射エネルギーに変換されたときの分光分布を示している。
図７（ｃ）は、光吸収部２２に入射した光について、波長帯ｗの放射エネルギーが吸収されたときの分光分布を示している。
上記の光源装置１００の効果２について図７に基づいて説明する。ここで、便宜的に、光源１１から照射された光について、第１の波長範囲の波長の光と、第２の波長範囲の光と、第２の波長範囲よりも長波長である光とに分けて説明する。
【００４１】
光源１１からは、第１の波長範囲の光、第２の波長範囲の光、及び第２の波長範囲よりも長波長である光が照射される。図７（ａ）に示すように、第１の波長範囲の光の相対強度は、スペクトルＬ１０で表され、第２の波長範囲の光の相対強度は、スペクトルＬ２０で表され、第２の波長範囲よりも長波長の光の相対強度は、スペクトルＬ３０で表されている。また、光源１１の光の相対強度のピークは、第１の波長範囲に存在している。
【００４２】
第１の波長範囲の光は、波長変換部２１の作用により、放射エネルギーの一部が第２の波長範囲よりも長波長の光の放射エネルギーに変換される。その結果、図７（ｂ）に示すように、波長変換部２１から照射された第１の波長範囲の光の相対強度は、スペクトルＬ１１で示されるように小さくなる。
第２の波長範囲の光は、波長変換部２１の作用により、放射エネルギーの略全部が第２の波長範囲よりも長波長の放射エネルギーに変換される。その結果、図７（ｂ）に示すように、波長変換部２１から照射された第２の波長範囲の光の相対強度は、スペクトルＬ２１で示されるように非常に小さくなる。
そして、図７（ｂ）に示すように、波長変換部２１から照射された第２の波長範囲よりも長波長の光の相対強度は、スペクトルＬ３１で示されるように大きくなる。
【００４３】
波長変換部２１から出射された第１の波長範囲の光は、光吸収部２２の作用により、放射エネルギーが吸収される。つまり、光の相対強度は、図７（ｃ）に示すスペクトルＬ１２のようになる。
波長変換部２１から出射された第２の波長範囲の光についても、光吸収部２２の作用により、放射エネルギーが吸収される。つまり、光の相対強度は、図７（ｃ）に示すスペクトルＬ２２のようになる。
波長変換部２１から出射された第２の波長範囲よりも長波長の光は、波長が長いため、光吸収部２２をそのまま通過する。そして、光照射対象等に照射されることになる。
【００４４】
このように、本実施の形態に係る光源装置１００は、波長変換部２１は、第１の波長範囲よりも第２の波長範囲の方が、光源１１の光の変換がしやすくなるように構成され、光吸収部２２は、第２の波長範囲よりも第１の波長範囲の方が、光源１１の光の吸収がしやすくなるように構成されているので、波長帯ｗの光をカットしながらも、波長帯ｗよりも長波長の放射エネルギーを増加させて光照射対象等に照射することができるという効果が得られるものとなっている。
【００４５】
仮に、波長変換部２１の特性が逆であると、すなわち第２の波長範囲よりも第１の波長範囲の方が光の波長の変換がしやすいものであると、次のような不具合がある。
波長変換部２１の特性が逆となっていると、第１の波長範囲については放射エネルギーが非常に小さくなるが、第２の波長範囲については放射エネルギーが相当量残る。ここで、光吸収部２２の特性は、第１の波長範囲については光を吸収しやすいが、第２の波長範囲については光を吸収しにくいものとなっている。したがって、第１の波長範囲の光については光吸収部２２で吸収することができるが、第２の波長範囲の光については光吸収部２２で吸収しきれず、カバー２０をそのまま通過してしまう場合がある。
これは、光吸収部２２のうち光を特に吸収しやすい範囲（光吸収波長領域）と、光を特に通過させやすい範囲（光透過領域）との間には、光吸収特性が若干落ちる変化領域が形成されてしまうことが避けにくいという事情があるからである。
したがって、波長変換部２１は、第１の波長範囲よりも第２の波長範囲の方が、光源１１の光の変換がしやすくなるように構成されていることが好ましい。これにより、より確実に波長帯ｗの光がカバー２０から照射されてしまうことを防ぐことができる。
【００４６】
また、仮に、光吸収部２２の特性が逆であると、すなわち、第１の波長範囲よりも第２の波長範囲の方が光の吸収がしやすいと次のような不具合がある。
図７（ａ）に示すように、第１の波長範囲の放射エネルギーの方が、第２の波長範囲の放射エネルギーよりも相対強度が大きい。しかし、光吸収部２２の特性が逆となっていると、第１の波長範囲の放射エネルギーを吸収することができなくなってしまうことになる。したがって、波長変換部２１の特性に対応するように、光吸収部２２の特性が設定されていることが好ましい。
つまり、波長変換部２１が、第１の波長範囲よりも第２の波長範囲の方が光源１１の光の変換がしやすい場合には、光吸収部２２は、第２の波長範囲よりも第１の波長範囲の方が光源１１の光の吸収がしやすい特性を持たせることが好ましい。
【００４７】
（効果３）
本実施の形態に係る光源装置１００は、光吸収部２２は、第２の波長範囲の波長のうちの最大側の波長以上において、光源１１の光の透過特性が最大となるように構成されているものである。
ここで、光吸収部２２は、第２の波長範囲よりも長波長の光の吸収特性、第２の波長範囲の光の吸収特性、第１の波長範囲の光の吸収特性の順番に、特性が強くなっている。
仮に、波長変換部２１の特性が逆であることに加えて、さらに、光吸収部２２の特性が高い波長側にずれていると、次のような不具合がある。なお、光吸収部２２の特性が高い波長側にずれていると、第２の波長範囲よりも長波長の光の吸収特性、及び第２の波長範囲の光の吸収特性が強くなることに対応する。
この場合においては、波長変換部２１の特性が逆であることから、第２の波長範囲については放射エネルギーが相当量残ることになるが、第２の波長範囲の光の吸収特性が強くなっているため、光を吸収することができる。しかし、波長変換部２１にて折角、第２の波長範囲よりも長波長の放射エネルギーの大きくしたにもかかわらず、第２の波長範囲の光が光吸収部２２にて吸収されてしまい、放射エネルギーが小さくなってしまうという不具合が生じる。
したがって、波長変換部２１は、さらに、第２の波長範囲のうちの最大の波長において、光吸収特性が最小になる（光透過特性が最大になる）ようになっていることが好ましい。これにより、光源装置１００の明るさが低減してしまうことを抑制することができる。また、ここでは、第２の波長範囲のうちの最大の波長と述べたが、それに限定されるものではなく、最大の波長からずれていてもよい。例えば、第２の波長範囲内であって第２の波長範囲の最大側（最大寄り）の波長で、光吸収特性が最小（光源１１の光の透過特性が最大）になっていてもよい。
【００４８】
（効果４）
本実施の形態に係る光源装置１００は、光源１１が実装された基板１２をさらに備え、基板１２には、光源１１の実装面に光反射材が形成されているものである。これにより、発光ダイオードから照射された光のうちカバー２０に直接進まなかったものについても、光反射材で反射させてカバー２０に導くことができ、光源装置１００の明るさが低減してしまうことを抑制することができる。
【００４９】
（効果５）
本実施の形態に係る光源装置１００を備えた照明器具１は、光源装置１００が設けられた筺体と、筐体に取り付けられ、光源装置１００の光源１１の周囲に配置され、光源１１の光を反射する反射面が形成されている筒状の反射部４０と、反射部４０のうち筐体３０に取り付けられている側とは反対側の開口端部に設けられ、光源装置１００のカバー２０を支持する外枠部５０と、を備えたものである。照明器具１は、上述の光源装置１００と同様の効果を得ることができる。
【００５０】
なお、本実施の形態では、光照射対象等へ影響を与えない波長の境界値として５５０（ｎｍ）を境とした場合について一例を説明したが、それに限定されるものではない。例えば、光照射対象等の特性により境界値を変更しても良い。例えば、その境界値としては、５００（ｎｍ）〜５５０（ｎｍ）を採用してもよい。
【００５１】
なお、本実施の形態に係る光源装置１００のカバー２０は、波長変換部２１及び光吸収部２２のいずれについても、互いに同じ第１の波長範囲、同じ第２の波長範囲及び第２の波長範囲よりも長波長の範囲で特性が切り分けられていたが、それに限定されるものではない。波長変換部２１における第１の波長範囲と、光吸収部２２における第１の波長範囲とにずれていてもよい。第２の波長範囲等についても同様である。
【００５２】
［変形例］
図８は、本実施の形態に係る光源装置１００の変形例である。図８（ａ）は光源装置２００の斜視図であり、図８（ｂ）は図８（ａ）のＢ−Ｂ断面図である。
なお、本実施の形態では、光源モジュール１０とカバー２０を備えた図１に示すような光源装置１００について説明をおこなったが、図８に示す態様の光源装置２００であってもよい。
光源装置２００は、たとえば断面円弧状の外郭であるカバー２２０と、カバー２２０の一端側に取り付けられた給電口金２６０と、カバー２２０の他端側に取り付けられたアース口金２５０と、カバー２２０に収納され、複数の光源１１が設けられた光源モジュール１０と、光源モジュール１０が設けられた長尺状のヒートシンク２９０とを備えているものである。そして、カバー２２０は、波長変換部２１と同様の機能を有する波長変換部２２１と、光吸収部２２と同様の機能を有する光吸収部２２２とを備えている。
【００５３】
なお、変形例以外においても、光源モジュール及びカバーを備える態様であれば、各種の照明機器に本実施の形態を適用することができる。例えば、長尺形状をしたベース照明に適用してもよいし、スクエア照明に適用してもよい。
【符号の説明】
【００５４】
１  照明器具、１０  光源モジュール、１１  光源、１２  基板、２０  カバー、２１  波長変換部、２２  光吸収部、３０  筐体、３１  取付部、３２  フィン、４０  反射部、５０  外枠部、５１  内側鍔部、５２  外側鍔部、１００  光源装置、２００  光源装置、２２０  カバー、２２１  波長変換部、２２２  光吸収部、２５０  アース口金、２６０  給電口金、２９０  ヒートシンク。
【図１】
0006695145.tif 000002
【図２】
0006695145.tif 000003
【図３】
0006695145.tif 000004
【図４】
0006695145.tif 000005
【図５】
0006695145.tif 000006
【図６】
0006695145.tif 000007
【図７】
0006695145.tif 000008
【図８】
0006695145.tif 000009